(57)【要約】【課題】組立調整を短時間に行なうことができ、かつ本来画像を形成しない部分でかぶり現象を防止することが可能である。【解決手段】複数の光源３００と、この光源３００からの光ビームを偏光する光偏光器３１０と、この光偏光器３１０からの光ビームを走査結像する走査結像レンズ系３３０とを有する光走査装置において、各光源３００からの光ビームを遮光する遮光部材３４０を各光源３００に対応して設け、組立調整時に各光源３００を点灯し、調整する光源３００に対応する遮光部材３４０は遮光不可状態とし、他の調整しない光源３００に対応する遮光部材３４０は遮光状態とする。また、未使用時に各光源３００を消灯し、各光源３００に対応する遮光部材３４０は遮光状態とする。【選択図】図２
2004045677.tif 000002
【特許請求の範囲】
【請求項１】
複数の光源と、この光源からの光ビームを偏光する光偏光器と、この光偏光器からの光ビームを走査結像する走査結像レンズ系と、各光源からの光ビームを遮光する遮光部材とを有することを特徴とする光走査装置。
【請求項２】
複数の光源と、この光源からの光ビームを偏光する光偏光器と、この光偏光器からの光ビームを走査結像する走査結像レンズ系とを有する光走査装置において、
前記各光源からの光ビームを遮光する遮光部材を前記各光源に対応して設け、組立調整時に前記各光源を点灯し、調整する光源に対応する前記遮光部材は遮光不可状態とし、他の調整しない光源に対応する前記遮光部材は遮光状態とすることを特徴とする光走査装置。
【請求項３】
複数の光源と、この光源からの光ビームを偏光する光偏光器と、この光偏光器からの光ビームを走査結像する走査結像レンズ系とを有する光走査装置において、
前記各光源からの光ビームを遮光する遮光部材を前記各光源に対応して設け、未使用時に前記各光源を消灯し、各光源に対応する前記遮光部材は遮光状態とすることを特徴とする光走査装置。
【請求項４】
前記請求項１乃至請求項３のいずれか１項に記載の光走査装置を備えてなることを特徴とする画像形成装置。
【発明の詳細な説明】
【０００１】
【発明の属する技術分野】
この発明は、電子写真複写機、プリンタ、ファクシミリ、これらの複数の機能を有する複合機や印刷機等の画像形成装置により画像を形成するために、画像の書込みを行なう光走査装置及び画像形成装置に関するものである。
【０００２】
【従来の技術】
このようなデジタル式の画像形成装置に備えられる光走査装置では、給紙皿上に積載された原稿を１枚ずつ分離して搬送し、原稿の画像を読み取り、画像書き込み部に信号を送る。画像書き込み部には、光走査装置が備えられ、この光走査装置は、図４に示すように、複数の光源１００と、ダイクロイックプリズム１０１と、光偏光器１０２と、走査結像レンズ系１０３とを有し、複数の光源１００からの光ビームが画像形成部の感光体１０４に照射され、潜像を形成する。画像形成部においては、帯電、露光、現像、転写、分離、クリーニング等の処理が行われ、感光体の現像された画像が用紙に転写される。
【０００３】
【発明が解決しようとする課題】
このように、２個以上の光源からの光ビームを合成して画像を形成する光走査装置においては、組立調整時に１つの光ずつ調整を行うため、他の光源を消灯する。すると各光ビーム調整毎に再点灯後のウォームアップが必要となり、結果として調整時間が長くなってしまう。
【０００４】
また、実際の使用時に、光源消灯時もわずかに待機電流が流れているため、わずかな光量の光ビームが発光されており、これが影響して本来画像を形成しない部分でかぶり現象を生じ、その対策として像面の感度設定で対応している。
【０００５】
この発明は、かかる点に鑑みてなされたもので、組立調整を短時間に行なうことができ、かつ本来画像を形成しない部分でかぶり現象を防止することが可能な光走査装置及び画像形成装置を提供することを目的としている。
【０００６】
【課題を解決するための手段】
前記課題を解決し、かつ目的を達成するために、この発明は、以下のように構成した。
【０００７】
請求項１に記載の発明は、複数の光源と、この光源からの光ビームを偏光する光偏光器と、この光偏光器からの光ビームを走査結像する走査結像レンズ系と、各光源からの光ビームを遮光する遮光部材とを有することを特徴とする光走査装置である。
【０００８】
この請求項１に記載の発明によれば、各光源からの光ビームを遮光する遮光部材を有することで、組立調整を光源の電源を切る必要がなく短時間に行なうことができ、かつ実際の使用時に光源を消灯している時にわずかな光量の発光ビームが発光されることがあっても本来画像を形成しない部分でかぶり現象を防止することが可能である。
【０００９】
請求項２に記載の発明は、複数の光源と、この光源からの光ビームを偏光する光偏光器と、この光偏光器からの光ビームを走査結像する走査結像レンズ系とを有する光走査装置において、
前記各光源からの光ビームを遮光する遮光部材を前記各光源に対応して設け、組立調整時に前記各光源を点灯し、調整する光源に対応する前記遮光部材は遮光不可状態とし、他の調整しない光源に対応する前記遮光部材は遮光状態とすることを特徴とする光走査装置である。
【００１０】
この請求項２に記載の発明によれば、各光源からの光ビームの組立調整の際、遮光部材により他の光ビームの影響を排除できるので光源の電源を切る必要がなく、１つの光源ビームの組立調整後、次の光源ビームの組立調整を即座に行うことができ、結果として調整時間の短縮が可能となる。
【００１１】
請求項３に記載の発明は、複数の光源と、この光源からの光ビームを偏光する光偏光器と、この光偏光器からの光ビームを走査結像する走査結像レンズ系とを有する光走査装置において、
前記各光源からの光ビームを遮光する遮光部材を前記各光源に対応して設け、未使用時に前記各光源を消灯し、各光源に対応する前記遮光部材は遮光状態とすることを特徴とする光走査装置である。
【００１２】
この請求項３に記載の発明によれば、実際の使用時に光源を消灯している時にわずかな光量の発光ビームが発光されることがあっても遮光部材により排除できるので、画像を形成しない部分におけるかぶり現象を防止でき、像面側での感度設定を不要とすることができる。
【００１３】
請求項４に記載の発明は、前記請求項１乃至請求項３のいずれか１項に記載の光走査装置を備えてなることを特徴とする画像形成装置である。
【００１４】
この請求項４に記載の発明によれば、請求項１乃至請求項３のいずれか１項に記載の光走査装置を備え、組立調整を短時間に行なうことができ、かつ本来画像を形成しない部分でかぶり現象を防止することが可能である。
【００１５】
【発明の実施の形態】
次に、この発明の光走査装置を備えた画像形成装置の実施の形態を図面に基づいて説明するが、この発明は、この実施の形態に限定されない。
【００１６】
図１は用紙後処理装置ＦＳと原稿搬送装置ＤＦと画像読み取り装置（スキャナ）ＳＣとを装備した画像形成装置１の全体構成図である。
【００１７】
図示の画像形成装置本体１Ａは、画像処理部２、画像書き込み部３、画像形成部４、高圧電源部５、カセット給紙部６、定着装置７、排紙部８、自動両面コピーのための再搬送手段（ＡＤＵ）９を備えている。
【００１８】
画像形成装置本体１Ａの上部には、画像読み取り装置ＳＣと原稿搬送装置ＤＦが搭載されている。画像形成装置本体１Ａの図示の左上部の排紙部８側には、用紙後処理装置ＦＳが連結されている。
【００１９】
原稿搬送装置ＤＦの原稿台上に第１面を上向きにして載置された原稿ｄは、矢印方向に搬送され画像読み取り装置ＳＣの光学系により原稿の片面又は両面の画像が読みとられ、ＣＣＤイメージセンサＣ１に読み込まれる。
【００２０】
ＣＣＤイメージセンサＣ１により光電変換されたアナログ信号は、画像処理部２において、アナログ処理、Ａ／Ｄ変換、シェーディング補正、画像圧縮処理等を行った後、画像書き込み部３に信号を送る。
【００２１】
画像書き込み部３においては、半導体レーザからの出力光が画像形成部４の感光体ドラム４Ａに照射され、潜像を形成する。画像形成部４においては、帯電、露光、現像、転写、分離、クリーニング等の処理が行われ、カセット給紙部６から搬送された用紙Ｓに画像が転写される。画像を担持した用紙Ｓは、定着装置７により定着され、排紙部８から用紙後処理装置ＦＳに送り込まれる。或いは排紙路切り替え板８Ａにより再搬送手段９に送り込まれた片面画像処理済みの用紙Ｓは、再び画像形成部４において両面画像処理された後、排紙部８の排紙ローラ８Ｂにより用紙後処理装置ＦＳに送り込まれる。
【００２２】
用紙後処理装置ＦＳは、画像形成装置本体１Ａの左上部に着脱可能に装着される。用紙後処理装置ＦＳは、用紙搬送手段１０、排紙手段２０、後処理手段３０、昇降排紙手段４０からなり、これらは用紙後処理装置本体４５に配置される。
【００２３】
図１において、画像形成装置本体１Ａ内の右寄り側には、画像形成部４を中心にして、画像形成装置本体１Ａの高さ方向下方にカセット給紙部６が、上方に定着装置７、排紙部８が設けられている。この垂直配列構成により、ほぼ垂直方向の用紙搬送路▲１▼が形成される。カセット給紙部６から送り出された用紙Ｓは、この垂直上方の用紙搬送路▲１▼に沿って搬送されて画像形成装置本体１Ａ外に排出される。
【００２４】
この垂直方向用紙搬送路▲１▼にほぼ平行して、再搬送手段９による用紙搬送路▲２▼が形成されている。
【００２５】
上記の垂直方向の用紙搬送路▲１▼、▲２▼を形成することにより、カセット給紙部６から排紙部８に至る最短距離の用紙搬送路が構成される。
【００２６】
画像形成装置本体１Ａの図示の上方の空間部に用紙後処理装置ＦＳの用紙搬送手段１０が収容される。用紙搬送手段１０の用紙入口部１１は、画像形成装置本体１Ａの排紙部８の排紙ローラ８Ｂに接続する。また、この装着状態では、画像形成装置本体１Ａの図示の左上方の空間部に、用紙後処理装置ＦＳの排紙手段２０及び後処理手段３０が収容される。複数の排紙皿（ビンとも称す）４１と昇降駆動手段４２から成る昇降排紙手段４０は、後処理手段３０の図示左側に位置する。
【００２７】
次に、図２及び図３に基づいて画像書き込み部３に備えられる光走査装置を説明する。図２は光走査装置の概略図である。
【００２８】
この実施の形態の光走査装置は、複数の光源３００と、この光源３００からの光ビームを光偏光器３１０へ送るダイクロイックプリズム３２０と、光偏光器３１０からの光ビームを走査結像する走査結像レンズ系３３０とを有し、光ビームを感光体ドラム４Ａに照射する。
【００２９】
各光源３００からの光ビームを遮光する遮光部材３４０が各光源３００に対応して設けられ、組立調整時に各光源３００を点灯し、調整する光源３００に対応する遮光部材３４０は遮光不可状態とし、他の調整しない光源３００に対応する遮光部材３４０は遮光状態とする。
【００３０】
この遮光部材３４０は、光源３００の光ビームを透過させない構造ならば特に限定されない。例えば、遮光部材３４０を光ビームを透過させない部材で構成し、組立調整時に調整する光源３００に対応する遮光部材３４０を移動させて待機させ、遮光不可状態としてもよい。また、遮光部材３４０をシャッター構造としてもよく、シャッター構造として機械的シャッター構造、あるいは電気的シャッター構造を用いることができ、組立調整時に調整する光源３００に対応する遮光部材３４０を開いて遮光不可状態としてもよい。
【００３１】
このように、各光源３００からの光ビームの組立調整の際、遮光部材３４０により他の光ビームの影響を排除できるので光源３００の電源を切る必要がなく、１つの光源ビームの組立調整後、次の光源ビームの組立調整を即座に行うことができ、結果として調整時間の短縮が可能となる。
【００３２】
また、未使用時に各光源３００を消灯し、各光源３００に対応する遮光部材３４０は遮光状態とする。実際の使用時に光源３００を消灯している時にわずかな光量の発光ビームが発光されることがあっても遮光部材３４０により排除できるので、画像を形成しない部分におけるかぶり現象を防止でき、像面側での感度設定を不要とすることができる。
【００３３】
図３は光走査装置の他の実施の形態の概略図である。この実施の形態は、図２の実施の形態と同様に構成されるが、ダイクロイックプリズム３２０を用いないで、各光源３００からの光ビームを直接光偏光器３１０で偏光させるようになっている。
【００３４】
組立調整時に各光源３００を点灯し、調整する光源３００に対応する遮光部材３４０は遮光不可状態とし、他の調整しない光源３００に対応する遮光部材３４０は遮光状態とする。
【００３５】
未使用時に各光源３００を消灯し、各光源３００に対応する遮光部材３４０は遮光状態とする。
【００３６】
また、本発明の実施の形態では、複写機に備える光走査装置を示したが、プリンタ、ファクシミリ等の画像形成装置や、これらの複数の機能を有する複合機及び軽印刷機等に備えられる光走査装置にも適用可能である。
【００３７】
【発明の効果】
前記したように、請求項１に記載の発明では、各光源からの光ビームを遮光する遮光部材を有することで、組立調整を光源の電源を切る必要がなく短時間に行なうことができ、かつ実際の使用時に光源を消灯している時にわずかな光量の発光ビームが発光されることがあっても本来画像を形成しない部分でかぶり現象を防止することが可能である。
【００３８】
請求項２に記載の発明では、各光源からの光ビームの組立調整の際、遮光部材により他の光ビームの影響を排除できるので光源の電源を切る必要がなく、１つの光源ビームの組立調整後、次の光源ビームの組立調整を即座に行うことができ、結果として調整時間の短縮が可能となる。
【００３９】
請求項３に記載の発明では、実際の使用時に光源を消灯している時にわずかな光量の発光ビームが発光されることがあっても遮光部材により排除できるので、画像を形成しない部分におけるかぶり現象を防止でき、像面側での感度設定を不要とすることができる。
【００４０】
請求項４に記載の発明では、請求項１乃至請求項３のいずれか１項に記載の光走査装置を備え、組立調整を短時間に行なうことができ、かつ本来画像を形成しない部分でかぶり現象を防止することが可能である。
【図面の簡単な説明】
【図１】用紙後処理装置と原稿搬送装置と画像読み取り装置を装備した画像形成装置の全体構成図である。
【図２】光走査装置の概略図である。
【図３】光走査装置の他の実施の形態の概略図である。
【図４】従来の光走査装置の他の実施の形態の概略図である。
【符号の説明】
ＤＦ　原稿搬送装置
１　画像形成装置
１Ａ　画像形成装置本体
４Ａ　感光体ドラム
３　画像書き込み部
３００　複数の光源
３１０　光偏光器
３３０　走査結像レンズ系
３４０　遮光部材
【図１】
2004045677.tif 000003
【図２】
2004045677.tif 000004
【図３】
2004045677.tif 000005
【図４】
2004045677.tif 000006